(57)【要約】      （修正有）【課題】作業により送電線等から落下する落下物を確実に受け止めて地上への落下を防止する。【解決手段】宙乗り機３に対して作業の邪魔にならない座板１０の下方に位置して組み付けた取付部材１３を介してフレーム枠体１４が座板１０を囲みかつその上方に位置して組み合わされ、フレーム枠体１４を宙乗り機３との間に掛け合わせた水平保持ワイヤ１５により水平状態に保持し、上端部をフレーム枠体１４に取り付けた袋状のネット体１６が座板１０のやや上方位置から宙乗り機３を取り囲むように設けられる。【選択図】図３
0003140880.tif 000002
【実用新案登録請求の範囲】
【請求項１】
送電線に懸架されて走行する宙乗り機に着脱自在に付設され、作業により落下する落下物を受け止めて地上への落下を防止する送電線作業用宙乗り機の落下物防止用ネット装置であり、
上記宙乗り機に対して、座板の下方に位置して上記送電線と平行状態に組み付けられ、組付状態において上記座板を跨いだその両側の上方に位置するように両端部を上方へと折曲して枠体取付部を設けたパイプ材により形成される取付部材と、
上記送電線と直交して上記座板を走行方向に跨いで相対する第１長軸枠梁部及び第２長軸枠梁部と、上記送電線と平行して上記座板を幅方向に跨いで上記第１長軸枠梁部及び上記第２長軸枠梁部を連結する第１短軸枠梁部と第２短軸枠梁部とからなり、パイプ材により上記宙乗り機を囲む口径寸法を有する全体略枠状に形成され、相対する上記第１長軸枠梁部と上記第２長軸枠梁部に設けた嵌合部を上記枠体取付部に嵌合することにより上記座板を囲みかつその上方に位置して上記取付部材に組み合わされるフレーム枠体と、
一端部を上記フレーム枠体の相対する上記第１短軸枠梁部と上記第２短軸枠梁部にそれぞれ掛け止めするとともに、他端部を上記宙乗り機にそれぞれ掛け止めすることにより上記フレーム枠体を水平状態に保持する水平保持ワイヤと、
全体袋状とされ、上端部を上記フレーム枠体に取り付けられることにより上記座板の上方位置に開口して上記宙乗り機の下方領域を囲む落下物受止め空間部を構成する主ネット体と
から構成されることを特徴とする送電線作業用宙乗り機の落下物防止用ネット装置。
【請求項２】
上記フレーム枠体は、上記第１短軸枠梁部と上記第２短軸枠梁部の相対する位置にそれぞれ設けた第１ヒンジ部と第２ヒンジ部を介して折り畳み自在に構成されることを特徴とする請求項１に記載の送電線作業用宙乗り機の落下物防止用ネット装置。
【請求項３】
上記フレーム枠体は、上記第１長軸枠梁部と上記第２長軸枠梁部の上記宙乗り機の走行方向の前方側部位を連結して円弧状の張出しフレーム部を形成し、この張出しフレーム部により作業空間部を拡張して構成することを特徴とする請求項１又は請求項２に記載の送電線作業用宙乗り機の落下物防止用ネット装置。
【請求項４】
上記フレーム枠体には、上記第１長軸枠梁部と上記第２長軸枠梁部の上記宙乗り機の走行方向の前方側で上記送電線を跨ぐ両側に位置してそれぞれ縦ネット体を設けた第１縦枠フレーム体と第２縦枠フレーム体が立設状態で組み合わされることを特徴とする請求項１乃至請求項３のいずれか１項に記載の送電線作業用宙乗り機の落下物防止用ネット装置。
【請求項５】
上記第１縦枠フレーム体と上記第２縦枠フレーム体は、それぞれ上記送電線よりも上方に位置する高さを有するとともにそれぞれの上記宙乗り機の走行方向の前方部位間を連結しかつ走行方向の前方側の周囲を囲む前方ネット体を取り付けるネット保持ワイヤが設けられ、
上記ネット保持ワイヤが、先端側を上記送電線に対してその下方に位置して横切ることにより上記前方ネット体を上記送電線の下方に近接して延在させることを特徴とする請求項４に記載の送電線作業用宙乗り機の落下物防止用ネット装置。
【考案の詳細な説明】
【技術分野】
【０００１】
本考案は、送電線に懸架されて走行する宙乗り機に着脱自在に付設され、作業により送電線等から落下する落下物を受け止めて地上への落下を防止する送電線作業用宙乗り機の落下物防止用ネット装置に関する。
【背景技術】
【０００２】
高圧送電線の保守点検作業には、送電線に懸架される宙乗り機が用いられ、この宙乗り機に作業員が乗り込んで走行させることにより所定の作業が行われる。宙乗り機については、従来種々の構造のものが提供されているが、一般に本体部に送電線を跨座するように組み合わされ手動或いは適宜の駆動手段とブレーキ手段により回転を制御されることにより懸架状態で走行が行われるようにする少なくとも一対のプーリが設けられるとともに、本体部に設けた吊り金具に作業員が座る座板が吊り下げられて構成される（例えば、特許文献１乃至特許文献３を参照）。
【０００３】
送電線には、例えば３０ｃｍ乃至５０ｃｍの間隔を以って取り付けることにより着雪を防止する難着雪リング（特許文献１を参照）や、１００ｍ程度の間隔を以って取り付けることにより捻れを吸収する捻れ防止ダンパー等の付属部品が取り付けられ、これら部品の点検や交換等の作業が定期的に行われる。難着雪リングは、中央部の薄肉ヒンジ部を介してリング半体部を一体に連設し、送電線に取り付けた状態でリング半体部の相対する端部に形成した嵌合部を嵌合することにより送電線の外周部に取り付けられる。難着雪リングは、送電線のラセン形状にしたがって接線方向に移動して外周部に筒状に成長する筒雪の発生を抑制することにより、送電線の伸びや切断或いはスリートジャンプ現象やギャロッピング現象等の発生を防止して送電線や鉄塔を保護する。
【０００４】
例えば、難着雪リングの交換作業は、宙乗り機に搭乗した作業員が目視等により点検しながら経年劣化した難着雪リングを金属棒等で打撃して破壊することにより送電線から撤去した後に、新品の装着が行われる。交換作業においては、破壊された難着雪リングの一部が飛散して地上に落下することがあり、また金属棒や嵌合工具等の手持ち工具或いは交換する難着雪リングを誤って落下させてしまうことがあった。したがって、宙乗り機には、作業中での落下物を受け止める対策のために、送電線工事業者等において独自の工夫により製作した防護ネット装置を付設することがあった。
【０００５】
【特許文献１】特開昭６３−６４５０７号公報
【特許文献２】特開平２−１３３０１３号公報
【特許文献３】実開平３−１１７３１８号公報
【特許文献４】実開平６−１３３１６号公報
【考案の開示】
【考案が解決しようとする課題】
【０００６】
ところで、宙乗り機に付設する防護ネット装置については、宙乗り機の機能を損なわない（改造をしない）こと、高所での極めて限られたスペースにおいて作業の邪魔にならないこと、安全性が充分に確保されること、送電線から飛散状態で落下する落下物も確実に受け止めること、送電線に大きな重量負荷をかけない軽量であること、安全性を確保する機械的強度を有すること、簡易な作業により宙乗り機に対して着脱されること、高所（鉄塔）への持ち運びが容易であること等の条件が必要である。
【０００７】
従来の防護ネット装置においては、もっぱら宙乗り機を改造せずに、作業の邪魔にならずかつ構造が簡易で廉価であること等を条件にして、宙乗り機の座板からネットを張ったフレーム枠をロープにより吊り下げた簡易な構造のものにより構成されていた。しかしながら、かかる防護ネット装置は、ネットの位置が送電線から離れているために飛散状態で落下する落下物を受け止めることができず、落下防止の機能が充分に奏されないといった問題があった。また、防護ネット装置は、ロープで吊り下げられたフレーム枠が風等の影響で常に前後左右に揺れて不安定な状態にあるとともに、その揺れが座板或いは宙乗り機にも影響を及ぼすといった問題があった。
【０００８】
したがって、本考案は、従来の落下物防止用防護ネット装置の問題を解決し、保守作業等により送電線等から落下する落下物を確実に受け止めて地上への落下を防止する取扱いが容易で構造簡易かつ作業性の向上を図る廉価な送電線作業用宙乗り機の落下物防止用防護ネット装置を提供することを目的に提案されたものである。
【課題を解決するための手段】
【０００９】
上述した目的を達成する本考案にかかる送電線作業用宙乗り機の落下物防止用防護ネット装置（防護ネット装置）は、取付部材と、フレーム枠体と、水平保持ワイヤと、主ネット体とを備え、送電線に懸架されて走行する宙乗り機に着脱自在に付設されて作業により送電線等から落下する落下物を受け止めて地上への落下を防止する。防護ネット装置は、取付部材が、宙乗り機に対して作業者が腰掛ける座板の下方に位置して送電線と平行状態に組み付けられ、組付状態において座板を跨いだ両側の上方に位置するように両端部を上方へと折曲して枠体取付部を設ける。防護ネット装置は、取付部材が、例えば肉厚かつ太径のアルミパイプ材等のパイプ材により形成される。
【００１０】
防護ネット装置は、フレーム枠体が、送電線と直交して座板を走行方向に跨いで相対する第１長軸枠梁部及び第２長軸枠梁部と、送電線と平行して座板を幅方向に跨いで第１長軸枠梁部及び第２長軸枠梁部を連結する第１短軸枠梁部と第２短軸枠梁部とからなる宙乗り機を囲む口径寸法を有する全体略枠状に形成される。防護ネット装置は、フレーム枠体が、相対する第１長軸枠梁部と第２長軸枠梁部にそれぞれ設けた嵌合部を枠体取付部に嵌合することにより座板を囲みかつその上方に位置して取付部材に組み合わされる。防護ネット装置は、フレーム枠体が、例えば肉厚かつ太径のアルミパイプ材等のパイプ材により形成される。
【００１１】
防護ネット装置は、水平保持ワイヤが、一端部をフレーム枠体の相対する第１短軸枠梁部と第２短軸枠梁部にそれぞれ掛け止めするとともに、他端部を宙乗り機にそれぞれ掛け止めする。防護ネット装置は、水平保持ワイヤの長さを調節することにより、フレーム枠体を水平状態に保持する。
【００１２】
防護ネット装置は、主ネット体が、全体袋状とされ、上端部をフレーム枠体に取り付けられることにより座板のやや上方位置に開口して宙乗り機の下方領域を取り囲むように設けられて作業により送電線等から飛散しながら落下する落下物を受け止める落下物受止め空間部を構成する。
【００１３】
防護ネット装置は、鉄塔間に架け渡された超高圧の送電線の保守点検作業等に際して、作業員が乗り込んで所定の作業を行うために送電線に懸架されて走行する宙乗り機とともに鉄塔に運び上げられ、鉄塔上でこの宙乗り機に対して着脱自在に付設される。防護ネット装置は、送電線に懸架した宙乗り機に対して作業員が座る座板の下方部に取付部材を送電線と平行状態に組み付け、この取付部材を介して座板を囲みかつその上方に位置するようにしてフレーム枠体を組み合わせ、このフレーム枠体が水平状態となるように第１水平保持ワイヤ及び第２水平保持ワイヤの長さ調節を行うことにより、主ネット体が座板のやや上方位置から宙乗り機を取り囲むように配置される。
【００１４】
防護ネット装置においては、作業員が送電線に懸架した宙乗り機に乗り込んで座板に座り、宙乗り機を走行させながら送電線に取り付けた難着雪リングの交換作業等を行う。防護ネット装置においては、作業員により送電線から取り外されて飛散する難着雪リングがネット体により構成される落下物受止め空間部内に落下し、地上への落下を確実に防止する。
【考案の効果】
【００１５】
以上のように構成された本考案にかかる送電線作業用宙乗り機の落下物防止用防護ネット装置（防護ネット装置）によれば、宙乗り機の座板の下方に位置して組み付けた取付部材を介してフレーム枠体が座板を囲みかつその上方に位置して組み合わされ、このフレーム枠体を宙乗り機との間に掛け合わせた水平保持ワイヤにより水平状態に保持するとともに上端部をフレーム枠体に取り付けた主ネット体が座板のやや上方位置から宙乗り機を取り囲むように設けられる。防護ネット装置によれば、宙乗り機に対して作業の邪魔にならない座板の下方に位置して取付部材を組み付けるとともに、この取付部材を介して主ネット体を取り付けたフレーム枠体が水平保持ワイヤにより安定した姿勢を保持されて送電線に近い座板を囲む上方に位置することにより、送電線から取り外す際に飛散する難着雪リングの破片等を主ネット体により構成する落下物受止め空間部内に落下させるようにするとともに手持ち工具類や交換部品等を誤って手元から落とした場合でも落下物受止め空間部で受け止めることにより地上への落下を確実に防止して安全性の向上を図ることが可能である。防護ネット装置によれば、パイプ材からなる取付部材とフレーム枠体とにより構造基体が構成されることにより軽量かつ強固であり、また超高圧の送電線が存在する高所の鉄塔上まで宙乗り機とともに運び上げられて宙乗り機に対して簡易な作業により着脱されることから取り扱いが簡便であり、安全性を確保して作業性の向上を図ることが可能である。
【考案を実施するための最良の形態】
【００１６】
以下、本考案の実施の形態として図面に示した送電線作業用宙乗り機の落下物防止用防護ネット装置（以下、防護ネット装置と略称する。）１について、以下詳細に説明する。防護ネット装置１は、図１に示すように鉄塔間に架け渡された６万６千ボルトから１００万ボルトの高圧送電線２の保守点検作業等に際して、作業員Ｈが乗り込んで所定の作業を行うために送電線２に懸架されて走行する宙乗り機３とともに鉄塔に運び上げられ、鉄塔上でこの宙乗り機３に対して着脱自在に付設される。
【００１７】
防護ネット装置１は、保守点検作業において、例えば外周部の筒雪発生を抑制する等のために送電線２に所定の間隔を以って取り付けられ経年劣化した合成樹脂製の難着雪リング４を作業員Ｈが金属棒等で打撃して破壊する際に生じる周囲への飛散物も確実に受け止める。防護ネット装置１は、難着雪リング４の着脱作業等に用いられる工具袋５から出し入れされる各種工具や交換部品等を作業員Ｈが誤って手落とした際にも、これらを確実に受け止めて地上への落下を防止する。
【００１８】
防護ネット装置１は、市販の各種宙乗り機３に対して後述する簡易な作業により着脱することが可能である。実施の形態で示した宙乗り機３は、株式会社タック製の宙乗り機であり、詳細を省略するが図２に示すように送電線２に対して跨座状態で組み合わせる前後一対のプーリユニット６（６Ａ、６Ｂ）と、これらプーリユニット６を連結する連結部材７（７Ａ、７Ｂ）と、各プーリユニット６にそれぞれ設けた吊り金具８（８Ａ、８Ｂ）と、各吊り金具８の下端に設けた左右一対の座板取付ブラケット部材９（９Ａ、９Ｂ）と、座板１０等の部位により構成される。防護ネット装置１は、かかる宙乗り機３に限定されず、市販のあらゆる宙乗り機に対して簡易な改造を施すことにより着脱することが可能である。
【００１９】
宙乗り機３は、各プーリユニット６が、詳細を省略するがそれぞれのボデーに支架した支軸に回転自在に軸装されて送電線２に跨座状態で走行する一対のプーリ１１Ａ、１１Ｂ及びプーリ１１Ｃ、１１Ｄと、これらプーリ１１に組み合わされて走行動作を制動するブレーキドラム等により構成される。宙乗り機３は、座板取付ブラケット部材９が断面コ字状に形成され、座板１０の端部を嵌合して固定することにより、吊り金具８を介して座板１０がプーリユニット６の下方に吊り下げられるようにする。宙乗り機３は、送電線２に懸架した状態で、座板１０が送電線２と平行状態で吊り下げられる。なお、宙乗り機３は、詳細を省略するが送電線２に対して適宜安全ロープが掛け合わされて万一の落下防止が図られる。
【００２０】
宙乗り機３は、保守点検作業に際して、図１に示すように送電線２上にプーリユニット６が組み合わされ、乗り込んだ作業者Ｈを送電線２或いは連結部材７や吊り金具８等の適宜の部位に掛け合わせた安全ベルトにより確保し、作業者Ｈが座板１０に腰掛けて所定の保守作業が行われるようにする。宙乗り機３は、座板１０が、図１に示すように作業者Ｈが腰掛けた状態で上半身が送電線２よりも上方となる高さ位置に設定される。宙乗り機３は、搭乗した作業者Ｈにより適宜プーリ１１のブレーキ操作が行われて所定位置への走行動作が行われ、所定の保守作業が行われるようにする。宙乗り機３には、その際に座板１０に各種工具や交換部品等を入れた工具袋５がロープ等により吊り下げられるとともに、周囲を取り囲む後述する防護ネット装置１が取り付けられる。
【００２１】
宙乗り機３には、図３及び図４に示すように詳細を後述する左右のネット取付機構１２（１２Ａ、１２Ｂ）により座板１０の下方部に位置して防護ネット装置１が付設される。防護ネット装置１は、ネット取付機構１２により宙乗り機３に取り付けられる取付部材１３と、フレーム枠体１４と、水平保持ワイヤ１５と、ネット体１６等により構成される。防護ネット装置１は、支持部材を構成することでやや大きな機械的強度を必要とする取付部材１３については例えば外径１７ｍｍ、厚さ２ｍｍの鋼パイプ材が用いられる。防護ネット装置１は、フレーム枠体１４については軽量でかつ機械的強度も有する例えば外径２５ｍｍ、厚さ３ｍｍのアルミパイプ材が用いられる。なお、防護ネット装置１は、かかる素材に限定されないことは勿論であり、また各部についても例示した寸法値や形状に限定されないことは勿論である。
【００２２】
防護ネット装置１は、取付部材１３が、図３及び図４に示すように座板１０よりも長軸とされ、直角に折曲した両端部に第１フレーム取付部１７Ａと第２フレーム取付部１７Ｂ（以下、個別に説明する場合を除いてフレーム取付部１７と総称する。）を一体に形成する。取付部材１３は、各フレーム取付部１７がそれぞれ例えば１７０ｍｍの長さに形成されており、後述するようにネット取付機構１２によりこれらフレーム取付部１７を上方に向けて宙乗り機３に取り付けられる。取付部材１３は、各フレーム取付部１７が、この状態で座板１０を前後方向に跨いで上方に位置し、送電線２と平行状態で取り付けられる。
【００２３】
ネット取付機構１２は、図５に示すように座板１０の両端部を取り付ける座板取付ブラケット部材９と、この座板取付ブラケット部材９にそれぞれ固定されるネット連結金具１８（１８Ａ、１８Ｂ）と、これらネット連結金具１８にそれぞれ固定される取付フック部材１９（１９Ａ、１９Ｂ）等の部材により構成する。ネット取付機構１２は、ネット連結金具１８が、取付部材１３のフレーム取付部１７よりも短い長さとされ、詳細を省略するが座板取付ブラケット部材９の外側面に固定したブラケット片に上端部をボルトで結合することによりその下端側がそれぞれ座板１０の側方において下方へと延在する。
【００２４】
ネット取付機構１２は、取付フック部材１９が、例えば丸棒鋼材を素材として一端側に例えば２ｍｍ程度の貫通孔を設け、この貫通孔に嵌挿したスナップピンと外周部に嵌め合わせたワッシャとによりネット連結金具１８に固定することにより固定部２０を構成するとともに、他端側を取付部材１３の外径と同径の略半円形に湾曲させてフック部２１を一体に形成する。取付フック部材１９は、フック部２１に取付部材１３を貫通させた状態で、固定部２０をネット連結金具１８に対してその下方部位の側面に座板１０と平行に対向して固定する。
【００２５】
ネット取付機構１２は、図３に示すように取付フック部材１９が、座板１０の下方において長さ方向の両側に位置することにより取付部材１３を送電線２と平行状態にして取り付ける。ネット取付機構１２は、この状態で第１フレーム取付部１７Ａと第２フレーム取付部１７Ｂが座板１０を長さ方向に跨いで上方へと突出した状態で取付部材１３を取り付けることにより、取付部材１３を取付基材とした防護ネット装置１が宙乗り機３に付設されるようにする。
【００２６】
なお、ネット取付機構１２は、上述したようにネット連結金具１８と取付フック部材１９とを介して座板取付ブラケット部材９と取付部材１３とを連結したが、かかる構成に限定されないことは勿論である。ネット取付機構１２は、安全補助構造として例えばプーリユニット６と取付部材１３とを連結するロープ等を設けてもよい。ネット取付機構１２は、市販の宙乗り機に対して、その構成に適応して防護ネット装置１を取り付ける構造とされることは勿論である。
【００２７】
防護ネット装置１は、フレーム枠体１４が、上述したアルミパイプ材を素材にして一体に形成される。フレーム枠体１４は、図４に示すように送電線２と直交して、座板１０を長さ方向（走行方向）に跨いで対向する第１長軸枠梁部２２と第２長軸枠梁部２３を備える。フレーム枠体１４は、これら第１長軸枠梁部２２と第２長軸枠梁部２３との間を連結し、送電線２と平行して座板１０を幅方向に跨いで第１短軸枠梁部２４及び第２短軸枠梁部２５を備える。フレーム枠体１４は、宙乗り機３の走行方向側において両端を第１長軸枠梁部２２と第２長軸枠梁部２３の一端部に連結されて第１短軸枠梁部２４の側方に張り出される円弧状の張出しフレーム部２６を備える。
【００２８】
フレーム枠体１４は、上述した各枠梁部２２乃至２５により横長の矩形枠を構成し、この矩形枠が宙乗り機３を取り囲む大きさの口径寸法を有して構成する。フレーム枠体１４は、図４及び図６に示すように第１短軸枠梁部２４と第２短軸枠梁部２５の対向間隔が取付部材１３の長さ、すなわちこの取付部材１３の両端に形成した第１フレーム取付部１７Ａと第２フレーム取付部１７Ｂの対向間隔と等しい。第１短軸枠梁部２４と第２短軸枠梁部２５には、相対する長さ方向の中央部に位置してアルミパイプ材を溶接により固定することにより第１嵌合部２７と第２嵌合部２８が一体に設けられ、これら第１嵌合部２７と第２嵌合部２８を取付部材１３との取付部として構成する。
【００２９】
フレーム枠体１４は、張出しフレーム部２６が、第１長軸枠梁部２２と第２長軸枠梁部２３の宙乗り機３の走行方向の前方側端部を連結して一体に形成される。張出しフレーム部２６は、図４に示すように円弧状に折曲され、フレーム枠体１４の前方部位において作業空間部を拡張する。なお、フレーム枠体１４は、例えば前方側の第１短軸枠梁部２４を円弧状に形成して前方側に張り出すフレーム部とすることにより、張出しフレーム部２６を不要とすることも可能である。フレーム枠体１４は、強固なフレーム体を構成するために、長軸枠梁部２２、２３と短軸枠梁部２４、２５からなる横長矩形枠を基本形状とすることが好ましい。
【００３０】
以上のように構成されたフレーム枠体１４は、図６に示すようにネット取付機構１２を介して宙乗り機３に取り付けた取付部材１３に対して、同図矢印で示すように上方から第１嵌合部２７と第２嵌合部２８を相対する第１フレーム取付部１７Ａと第２フレーム取付部１７Ｂに嵌合して組み合わせが行われる。フレーム枠体１４は、これにより取付部材１３を介して、宙乗り機３との組み合せが行われる。
【００３１】
なお、フレーム枠体１４は、例えば第１嵌合部２７や第２嵌合部２８の外周壁にねじ孔を形成して蝶ねじをねじ込むことにより第１フレーム取付部１７Ａと第２フレーム取付部１７Ｂに対する第１嵌合部２７と第２嵌合部２８の嵌合状態が固定されるようにしてもよい。フレーム枠体１４は、取付部材１３に対して上述した第１嵌合部２７と第２嵌合部２８を第１フレーム取付部１７Ａと第２フレーム取付部１７Ｂに嵌合する構造に限定されないことは勿論であり、例えば適宜の結合部材を介して組み合わせが行われるようにしてもよい。
【００３２】
フレーム枠体１４は、第１長軸枠梁部２２と第２長軸枠梁部２３が、長さ方向に対してそれぞれ第１部位２２Ａ、２３Ａと第２部位２２Ｂ、２３Ｂに分割されるとともに、これら部位がヒンジ構造２９Ａ、２９Ｂを介して折り畳み、展開自在に構成される。第１長軸枠梁部２２には、第１部位２２Ａと第２部位２２Ｂの突き合わせ端部に、図４及び図７に示すように先端を突出させてそれぞれ軸孔を有する第１ヒンジ金具３０Ａ、３０Ｂが溶接により固定されている。第２長軸枠梁部２３にも、同様にして第１部位２３Ａと第２部位２３Ｂの突き合わせ端部に、先端を突出させてそれぞれ軸孔を有する第２ヒンジ金具３１Ａ、３１Ｂが溶接により固定されている。
【００３３】
第１長軸枠梁部２２は、第１部位２２Ａと第２部位２２Ｂを、互いの軸孔を連通させて第１ヒンジ金具３０Ａに第２ヒンジ金具３１Ａを重ね合わせて組み合わせる。第１長軸枠梁部２２は、連通された軸孔に対して内側から抜け止めしたねじ付き支軸３２Ａを嵌挿するとともにこの支軸３２Ａの先端側から蝶ナット３３Ａをねじ込むことにより、第１部位２２Ａと第２部位２２Ｂが展開、折り畳み自在に一体化される。
【００３４】
第２長軸枠梁部２３も、同様にして第１部位２３Ａと第２部位２３Ｂを、互いの軸孔を連通させて第１ヒンジ金具３０Ｂに第２ヒンジ金具３１Ｂを重ね合わせて組み合わせる。第２長軸枠梁部２３は、連通された軸孔に対して内側から抜け止めしたねじ付き支軸３２Ｂを嵌挿し、この支軸３２Ｂの先端側から蝶ナット３３Ｂをねじ込むことにより第１部位２３Ａと第２部位２３Ｂが展開、折り畳み自在に一体化される。
【００３５】
フレーム枠体１４は、防護ネット装置１を持ち運びする際に、第１長軸枠梁部２２と第２長軸枠梁部２３が、ヒンジ構造２９Ａ、２９Ｂを介して第１部位２２Ａ、２３Ａと第２部位２２Ｂ、２３Ｂを図７矢印で示すように折り畳まれる。防護ネット装置１は、これにより持ち運びや鉄塔への運び上げ等における作業性の向上が図られる。フレーム枠体１４は、防護ネット装置１を宙乗り機３に付設する際に、第１長軸枠梁部２２と第２長軸枠梁部２３が上述した折り畳み状態からヒンジ構造２９Ａ、２９Ｂを介して第１部位２２Ａ、２３Ａと第２部位２２Ｂ、２３Ｂを展開操作される。フレーム枠体１４は、蝶ナット３３Ａ、３３Ｂをそれぞれ締め付けることにより、第１長軸枠梁部２２と第２長軸枠梁部２３の展開状態が保持されるようにする。
【００３６】
なお、フレーム枠体１４は、第１部位２２Ａ、２３Ａと第２部位２２Ｂ、２３Ｂとにより構成する第１長軸枠梁部２２と第２長軸枠梁部２３が、上述したヒンジ構造２９Ａ、２９Ｂにより折り畳み自在とした構成に限定されないことは勿論である。フレーム枠体１４は、例えば第１長軸枠梁部２２と第２長軸枠梁部２３が、ヒンジ構造２９Ａ、２９Ｂに適宜のストッパ機構を設けて展開状態に保持されるようにしてもよい。また、フレーム枠体１４は、第１長軸枠梁部２２と第２長軸枠梁部２３が、それぞれの第１部位２２Ａ、２３Ａと第２部位２２Ｂ、２３Ｂをいわゆる嵌め合わせ構造により組立、分解可能な構造としてもよい。
【００３７】
フレーム枠体１４には、第１長軸枠梁部２２と第２長軸枠梁部２３の第１部位２２Ａ、２３Ａにそれぞれワイヤ結合金具３４（３４Ａ、３４Ｂ）が取り付けられる。ワイヤ結合金具３４は、例えば第１長軸枠梁部２２及び第２長軸枠梁部２３に形成した取付孔に貫通されるアイボルトと、このアイボルトの先端部にねじ込まれるナットとにより構成され、後述するように宙乗り機３に付設した防護ネット装置１を水平状態に保持する左右一対の水平保持ワイヤユニット３７（３７Ａ、３７Ｂ）の水平保持ワイヤ１５を結合する。なお、ワイヤ結合金具３４については、かかる構造に限定されないことは勿論であり、第１長軸枠梁部２２と第２長軸枠梁部２３に対して水平保持ワイヤ１５の一端部を簡易な操作により強固に固定する適宜の構造であればよく、例えばワイヤ結合部を一体に形成し端部をネジ止めすることによりパイプ材に組み合わされるリング状の部材等であってよい。
【００３８】
フレーム枠体１４には、第１長軸枠梁部２２と第２長軸枠梁部２３の第１部位２２Ａ、２３Ａにそれぞれ第１縦枠取付金具３５（３５Ａ、３５Ｂ）が、例えば溶接或いは適宜の構造により固定されて立設されている。フレーム枠体１４には、張出しフレーム部２６に各第１縦枠取付金具３５に対応して第２縦枠取付金具３６（３６Ａ、３６Ｂ）が溶接により固定されて立設されている。フレーム枠体１４には、第１縦枠取付金具３５と第２縦枠取付金具３６を介して防護ネット装置１の前方側の作業空間部を覆う第１縦枠フレーム体３８と第２縦枠フレーム体３９が組み合わされる。
【００３９】
水平保持ワイヤユニット３７は、後述するように第１長軸枠梁部２２と第２長軸枠梁部２３とを吊り金具８Ａに取り付けた上部締付け金具ユニット４０を介して、宙乗り機３に対してフレーム枠体１４を走行方向と直交して保持し、上部締付け金具ユニット４０を支点として左右の保持ワイヤ１５（１５Ａ、１５Ｂ）の長さを調整することにより水平状態に保持する。水平保持ワイヤユニット３７は、図８に示すように左右の保持ワイヤ１５が、上述した宙乗り機３の吊り金具８Ａに取り付けた上部締付け金具ユニット４０と、第１長軸枠梁部２２と第２長軸枠梁部２３のワイヤ結合金具３４にそれぞれ取り付けた左右一対の下部締付け金具ユニット４１（４１Ａ、４１Ｂ）との間に設けられる。
【００４０】
水平保持ワイヤユニット３７は、保持ワイヤ１５が、上端側を上部締付け金具ユニット４０に掛け止めされるとともに下端側に設けたカラビナ１５Ａ１、１５Ｂ１をそれぞれ下部締付け金具ユニット４１に掛け合わすことにより宙乗り機３と防護ネット装置１とを連結する。上部締付け金具ユニット４０は、詳細を省略するが、吊り金具８Ａに固定される取付ブラケットと、この取付ブラケットに固定されたブラケット筒部材と、このブラケット筒部材に対して装着された蝶ナット付き取付軸等により構成される。上部締付け金具ユニット４０は、蝶ナット付き取付軸に保持ワイヤ１５の上端側を掛け止めし、蝶ナット付き取付軸を回転操作して保持ワイヤ１５の長さを調整する。
【００４１】
下部締付け金具ユニット４１は、詳細を省略するがワイヤ結合金具３４に形成した取付孔に嵌挿されるリング付き取付ボルトと、この取付ボルトにねじ込んでワイヤ結合金具３４を固定する蝶ナット等により構成される。下部締付け金具ユニット４１には、上端を上部締付け金具ユニット４０に固定した保持ワイヤ１５のカラビナ１５Ａ１、１５Ｂ１がリング付き取付ボルトに結合される。
【００４２】
防護ネット装置１は、上述したようにフレーム枠体１４が宙乗り機３を囲む大きさを有しており、ネット取付機構１２を介して組み合わされる。防護ネット装置１においては、送電線２に懸架した宙乗り機３に対して上述したように取付基材を構成する取付部材１３が送電線２と平行な状態でネット取付機構１２により取り付けられ、宙乗り機３の走行方向に対して比較的安定した姿勢に保持される。防護ネット装置１においては、宙乗り機３に対して水平保持ワイヤユニット３７により走行方向に対して直交する方向を支える。防護ネット装置１は、上部締付け金具ユニット４０の蝶ナット付き取付軸に保持ワイヤ１５の上端側を掛け止めし、左右の蝶ナット付き取付軸を回転操作して保持ワイヤ１５の長さを調整することによりフレーム枠体１４を水平状態とする。防護ネット装置１は、水平保持ワイヤユニット３７により横揺れを低減されて安定した状態で保持される。
【００４３】
防護ネット装置１は、上述したようにフレーム枠体１４に張出しフレーム部２６を設けて宙乗り機３の走行方向の前方側に作業空間部を拡張し、宙乗り機３の走行に伴って作業員が前向きの姿勢で所定の保守作業を行うことにより発生する落下物等を受け止める。防護ネット装置１は、保守作業に伴って前方側で主として発生する落下物等を確実に受け止めるために、フレーム枠体１４に対してその前方側に第１縦枠フレーム体３８と第２縦枠フレーム体３９が組み付けられる。
【００４４】
フレーム枠体１４には、第１長軸枠梁部２２側に第１縦枠取付金具３５Ａと第２縦枠取付金具３６Ａとにより第１縦枠フレーム体３８が第１部位２２Ａと張出しフレーム部２６とに跨って立設される。フレーム枠体１４には、第２長軸枠梁部２３側に第１縦枠取付金具３５Ｂと第２縦枠取付金具３６Ｂとにより第２縦枠フレーム体３９が第１部位２３Ａと張出しフレーム部２６とに跨って立設される。フレーム枠体１４においては、これら第１縦枠フレーム体３８と第２縦枠フレーム体３９により保守作業に際して前方側における難着雪リング４の破片等の飛散を防止する。
【００４５】
第１縦枠フレーム体３８と第２縦枠フレーム体３９は、左右対称の部材であることから第１縦枠フレーム体３８の構成について以下代表して説明する。第１縦枠フレーム体３８は、図３及び図６に示すように上述したアルミパイプ材により全体矩形枠に形成される。第１縦枠フレーム体３８には、下辺部に第１縦枠取付金具３５Ａと第２縦枠取付金具３６Ａとに対応して軸孔を有する一対の取付金具が溶接により固定される。第１縦枠フレーム体３８は、各取付金具を相対する第１縦枠取付金具３５Ａと第２縦枠取付金具３６Ａに軸孔を一致させて重ね合わせ、取付ボルトを嵌挿してナットを締め付けることにより、フレーム枠体１４に立設する。第１縦枠フレーム体３８は、送電線２に懸架した宙乗り機３に防護ネット装置１を付設した状態で、図３に示すようにその上部が送電線２の上方に延在する高さをとされる。
【００４６】
第１縦枠フレーム体３８と第２縦枠フレーム体３９には、その前方枠の上部にネット保持ワイヤ４２がその両端部を取り付けられる。ネット保持ワイヤ４２は、やや太径（例えば８ｍｍ径）の被覆金属線が用いられ、第１縦枠フレーム体３８と第２縦枠フレーム体３９に取り付けた状態で上述したように作業空間部を拡張する張出しフレーム部２６の前方側にループを構成して突出する。ネット保持ワイヤ４２は、送電線２に懸架した宙乗り機３に防護ネット装置１を付設した状態で、図３に示すように第１縦枠フレーム体３８と第２縦枠フレーム体３９に取り付けた基端部が送電線２の上方に位置するとともに先端部が送電線２の下方に位置するように高さ方向に湾曲される。
【００４７】
なお、防護ネット装置１は、フレーム枠体１４の後方側にも縦枠フレーム体を取り付けることも可能ではある。防護ネット装置１は、後述するように保守作業に際して作業員Ｈがフレーム枠体１４を乗り越えて座板１０に腰掛けることから後方側の縦枠フレーム体が邪魔になるとともに前向きで所定の作業を行うことから飛散物の発生も少なく、特に設ける必要は無い。防護ネット装置１は、後方側の縦枠フレーム体を設ける場合には、フレーム枠体１４に対して例えば扉構造により取り付けることが好ましい。
【００４８】
防護ネット装置１は、ネット体１６が、上述したフレーム枠体１４に取り付けられる主ネット体４３と、第１縦枠フレーム体３８と第２縦枠フレーム体３９とネット保持ワイヤ４２とに跨って取り付けられることにより前方や側方を囲む周囲ネット体４４とから構成される。ネット体１６は、所定の強度を有しかつ軽量な合成樹脂繊維等の絶縁材からなる繊維を例えば５ｍｍ程度の網目サイズに編んだネットが用いられる。ネット体１６は、後述する説明から明らかなように主ネット体４３が宙乗り機３の下方部に位置して落下物を受け止めるとともに、周囲ネット体４４が難着雪リング４を破壊する際に周囲に飛び散る破片の飛散を防止して主ネット体４３内へと落下させるようにする。なお、ネット体１６は、主ネット体４３と周囲ネット体４４とを一体化したもので構成してもよい。
【００４９】
主ネット体４３は、図３及び図４に示すようにフレーム枠体１４、換言すれば第１長軸枠梁部２２と第２長軸枠梁部２３及び第２短軸枠梁部２５と張出しフレーム部２６で構成する略馬蹄形空間部を囲む開口形状を有するとともに、作業者Ｈが座板１０に腰掛けた状態で足先が引っ掛からない充分な深さを有する袋状に編まれている。主ネット体４３は、詳細を省略するが開口縁（上端部）の内面に面ファスナが設けられており、この開口縁部分をフレーム枠体１４の上述した各部に巻き付けて重ね合わせた部位を面ファスナにより結合することによりフレーム枠体１４に取り付けられる。
【００５０】
主ネット体４３は、フレーム枠体１４に取り付けた状態で開口部が座板１０のやや上方に位置して宙乗り機３の下方領域を取り囲み、保守作業により送電線２から飛散しながら落下する難着雪リング４の破片や作業者Ｈが誤って落とした手持ち工具等の落下物を受け止める落下物受止め空間部４５を構成する。なお、主ネット体４３は、フレーム枠体１４に対して上述した簡単な作業により取り付けることが可能であるが、保守作業に際しては安全対策上、地上でフレーム枠体１４に予め取り付けた状態で鉄塔上に運び上げられる。
【００５１】
なお、主ネット体４３は、上述したようにフレーム枠体１４に対して面ファスナにより結合することにより簡易な作業により着脱することが可能である。主ネット体４３は、かかる面ファスナによる結合構造に限定されず、適宜の結合構造、例えば多数個のフックによりフレーム枠体１４に取り付けるようにしてもよいことは勿論である。
【００５２】
周囲ネット体４４は、第１縦枠フレーム体３８と第２縦枠フレーム体３９が上述した構造によりフレーム枠体１４に取り付けた状態でその対向間隔とほぼ等しい長さ、すなわちこれら第１縦枠フレーム体３８と第２縦枠フレーム体３９の横幅とネット保持ワイヤ４２の長さとほぼ等しい長さを有するとともに、図９に示すようにこれらの高さよりも大きな横幅を有するシート状に編まれている。周囲ネット体４４には、同図に示すように上端縁と両側端縁の上部に面ファスナ４６が設けられており、これら上端縁と両側端縁を第１縦枠フレーム体３８と第２縦枠フレーム体３９及びネット保持ワイヤ４２に巻き付けて重ね合わせた部位を面ファスナ４６により結合することにより取り付けられる。
【００５３】
周囲ネット体４４も、予め地上で取り付けが行われ、第１縦枠フレーム体３８と第２縦枠フレーム体３９に対してネット保持ワイヤ４２を組み合わせた状態でこれらに上端縁と両側端縁を巻き付けて面ファスナ４６による結合が行われる。周囲ネット体４４も、簡易な作業により着脱することが可能である。周囲ネット体４４も、かかる面ファスナ４６による結合構造に限定されず、適宜の結合構造、例えば多数個のフックによる取り付けを行うようにしてもよいことは勿論である。
【００５４】
周囲ネット体４４は、図３に示すように送電線２に懸架された宙乗り機３に防護ネット装置１が付設された状態で、第１縦枠フレーム体３８と第２縦枠フレーム体３９及びネット保持ワイヤ４２に保持されて座板１０の前方側の上方領域において送電線２を跨いで囲い込みを行う。周囲ネット体４４は、ネット保持ワイヤ４２に保持されて張出しフレーム部２６の前方領域において送電線２を潜って大きく開口する。周囲ネット体４４は、下方部位が主ネット体４３の内部に導かれて主ネット体４３の前方側の上部領域に半漏斗状の空間部を構成する。
【００５５】
なお、ネット体１６は、周囲ネット体４４が第１縦枠フレーム体３８と第２縦枠フレーム体３９のネット体とを一体化して構成したが、これらを別体とするようにしてもよい。周囲ネット体４４は、この場合にネット付きで構成されてフレーム枠体１４に取り付けられる第１縦枠フレーム体３８と第２縦枠フレーム体３９に取り付けられるネット保持ワイヤ４２に取り付けられる。
【００５６】
なお、防護ネット装置１においては、図３に示すように第１長軸枠梁部２２の第２部位２２Ｂと第１縦枠フレーム体３８との間に支持ワイヤ４７Ａが掛け合わされるとともに、第２長軸枠梁部２３の第２部位２３Ｂと第２縦枠フレーム体３９との間に支持ワイヤ４７Ｂが掛け合わされる。防護ネット装置１においては、これら支持ワイヤ４７Ａ、４７Ｂによりフレーム枠体１４に対して第１縦枠フレーム体３８と第２縦枠フレーム体３９が確実に取り付けられるようにする。
【００５７】
防護ネット装置１においては、地上においてフレーム各部の組立を行った後に宙乗り機３とともに鉄塔の上へと運び上げられ、送電線２に懸架した宙乗り機３に対して組み合わされる。防護ネット装置１においては、宙乗り機３に対してネット取付機構１２を介して予め取付部材１３が座板１０の下方に位置して吊り下げられる。以下、防護ネット装置１の設置手順について説明するが、各部の組立或いは宙乗り機３への組み合せがこの手順に限定されないことは勿論である。防護ネット装置１は、比較的安全が確保される場合には鉄塔上においてでも各部の組み合わせを行って取付部材１３を介して宙乗り機３に対して組み合わせが行われる。
【００５８】
防護ネット装置１においては、フレーム枠体１４がヒンジ構造２９を介して折り畳まれた第１長軸枠梁部２２と第２長軸枠梁部２３を展開操作するとともに、このフレーム枠体１４に対して各枠梁部に開口端部を巻き付けて面ファスナを介して結合することにより主ネット体４３の取り付けが行われる。なお、防護ネット装置１においては、この主ネット体４３の取付作業を空中で行うようにしてもよい。
【００５９】
防護ネット装置１においては、フレーム枠体１４に対して第１縦枠フレーム体３８と第２縦枠フレーム体３９を組み付けるとともに、これら第１縦枠フレーム体３８と第２縦枠フレーム体３９にネット保持ワイヤ４２を取り付ける。防護ネット装置１においては、周囲ネット体４４が、第１縦枠フレーム体３８と第２縦枠フレーム体３９及びネット保持ワイヤ４２に対して端部を巻き付けて面ファスナ４６を介して結合が行われることにより、フレーム枠体１４の前方側の上部領域を囲んで設置される。なお、防護ネット装置１においては、周囲ネット体４４の取付作業を空中で行うようにしてもよい。
【００６０】
防護ネット装置１においては、フレーム枠体１４が第１短軸枠梁部２４の第１嵌合部２７と第２短軸枠梁部２５の第２嵌合部２８を取付部材１３に一体に形成した相対する第１フレーム取付部１７Ａと第２フレーム取付部１７Ｂに嵌合することにより、取付部材１３を介して宙乗り機３に組み合わされる。防護ネット装置１においては、フレーム枠体１４と宙乗り機３との間に水平保持ワイヤユニット３７を掛け合わせ、宙乗り機３や送電線２との間に適宜安全ベルト等の安全具を取り付けた状態で作業員Ｈの乗り込みが行われるようにする。
【００６１】
防護ネット装置１においては、ネット取付機構１２を支点にして一方の側方へと大きく傾けられ、この状態で送電線２に安全ベルトを架けて座板１０に座った作業員Ｈが足先からフレーム枠体１４の落下物受止め空間部４５内に入れて次第に座板１０側へと回転される。防護ネット装置１においては、水平保持ワイヤユニット３７により左右の水平保持ワイヤ１５の長さ調整が行われる。
【００６２】
防護ネット装置１においては、送電線２に懸架した宙乗り機３に対して作業員Ｈが座る座板１０の下方部に取付部材１３を送電線２と平行状態に組み付け、この取付部材１３を介して座板１０を囲みかつその上方に位置するようにしてフレーム枠体１４が組み合わされる。防護ネット装置１においては、水平保持ワイヤ１５の長さ調節が行われてフレーム枠体１４が水平状態に保持され、主ネット体４３が座板１０のやや上方位置から宙乗り機３を取り囲むように設置されるとともに前方位置において周囲ネット体４４が送電線２を取り囲むようにして設置される。
【００６３】
防護ネット装置１においては、作業員Ｈが宙乗り機３に乗り込んで座板１０に座り、宙乗り機３を走行させながら送電線２に取り付けた難着雪リング４の交換作業等が行われるようにする。防護ネット装置１においては、主ネット体４３や周囲ネット体４４が座板１０よりも高い送電線２により近い位置に設置する。防護ネット装置１においては、作業員Ｈにより難着雪リング４を送電線２から取り外す際に周囲に飛散する破片等を周囲ネット体４４に確実に受け止めて主ネット体４３により構成する落下物受止め空間部４５内へと落とすことにより、地上への落下を確実に防止する。
【００６４】
なお、本考案は、図面に示した上述した実施の形態に限定されるものでは無く、添付の実用新案登録請求の範囲及びその主旨を逸脱しない範囲で構成各部について様々な変更、置換が行われることは勿論である。
【図面の簡単な説明】
【００６５】
【図１】本考案の実施の形態として示す防護ネット装置を送電線に懸架した宙乗り機に付設して保守作業が行われる状態の説明図である。
【図２】取付部材を取り付けた宙乗り機の斜視図である。
【図３】防護ネット装置の側面図である。
【図４】防護ネット装置の要部平面図である。
【図５】宙乗り機に取付部材を取り付けるネット取付機構を説明する一部切り欠き要部正面図である。
【図６】防護ネット装置のフレーム枠体と取付部材との組み合わせ構造を説明する分解側面図である。
【図７】長軸枠梁部を折り畳み可能とするヒンジ構造を説明する要部側面図である。
【図８】フレーム枠体を水平状態に保持する水平保持ワイヤユニットの掛合構造を説明する要部正面図である。
【図９】縦枠フレーム体及びネット保持ワイヤと周囲ネット体の展開図である。
【符号の説明】
【００６６】
１  防護ネット装置、２  送電線、３  宙乗り機、４  難着雪リング、５  工具袋、６  プーリユニット、７  連結部材、８  吊り金具、９  座板取付ブラケット部材、１０  座板、１１  プーリ、１２  ネット取付機構、１３  取付部材、１４  フレーム枠体、１５  水平保持ワイヤ、１６  ネット体、１７  フレーム取付部、１８  ネット連結金具、１９  取付フック部材、２２  第１長軸枠梁部、２３  第２長軸枠梁部、２４  第１短軸枠梁部、２５  第２短軸枠梁部、２６  張出しフレーム部、２７  第１嵌合部、２８  第２嵌合部、２９  ヒンジ構造、３４  ワイヤ結合金具、３７  水平保持ワイヤユニット、３８  第１縦枠フレーム体、３９  第２縦枠フレーム体、４２  ネット保持ワイヤ、４３  主ネット体、４４  周囲ネット体、４５  落下物受止め空間部
【図１】
0003140880.tif 000003
【図２】
0003140880.tif 000004
【図３】
0003140880.tif 000005
【図４】
0003140880.tif 000006
【図５】
0003140880.tif 000007
【図６】
0003140880.tif 000008
【図７】
0003140880.tif 000009
【図８】
0003140880.tif 000010
【図９】
0003140880.tif 000011